(57)【要約】【課題】本発明は、超音波振動子の連続発振によるハンドピースの把持部の発熱および振動の伝達を防止することができ、断熱・防振効果が高いうえ、ハンドピース全体を小型化することができる超音波処置装置を提供することを最も主要な特徴とする。【解決手段】超音波処置装置のハンドピース１の振動子カバー４の壁部における超音波振動子５の周囲に超音波振動子５の熱および振動が振動子カバー４の外面側に伝達されることを防止する断熱・防振層１９を設けたものである。【選択図】      図３
2005118357.tif 000002
【特許請求の範囲】
【請求項１】
超音波振動を発生させる超音波振動子と、
基端部が前記超音波振動子に連結され、前記超音波振動子からの超音波振動を先端処置部に伝達させるプローブと、
前記超音波振動子および前記プローブの前記先端処置部以外の外周囲を覆うカバーとを具備するハンドピースを備えた超音波処置装置において、
前記カバーの壁部における前記超音波振動子の周囲に前記超音波振動子の熱および振動が前記カバーの外面側に伝達されることを防止する断熱・防振層を設けたことを特徴とする超音波処置装置。
【請求項２】
前記カバーは、内ケーシングと、外ケーシングとを有し、
前記断熱・防振層は、前記内ケーシングと、前記外ケーシングとの間に介設されていることを特徴とする請求項１に記載の超音波処置装置。
【請求項３】
前記超音波振動子は、前記内ケーシングに固定するための振動子フランジが形成されたホーンを備え、
前記断熱・防振層は、前記内ケーシングに固定された振動子フランジの外周の周辺となる位置に配置されていることを特徴とする請求項２に記載の超音波処置装置。
【請求項４】
前記断熱・防振層は、前記内ケーシングおよび前記外ケーシングの素材に対して熱伝導率が低い断熱・防振構造体であることを特徴とする請求項３に記載の超音波処置装置。
【請求項５】
前記断熱・防振構造体は、前記内ケーシングと前記外ケーシングとの間に気密に密閉された空気層であることを特徴とする請求項４に記載の超音波処置装置。
【請求項６】
前記ハンドピースは、前記超音波振動子を保持する振動子ユニットと、
前記プローブの外周囲を覆うシースと、前記シースの基端部に配置され、前記振動子ユニットの先端部に着脱可能に連結される着脱部とを有するシースユニットとを具備し、
前記シースユニットは、前記プローブに高周波出力を伝達する高周波出力伝達部と、
前記高周波出力のオン・オフを制御するスイッチとを具備することを特徴とする請求項１に記載の超音波処置装置。
【請求項７】
前記シースユニットは、前記プローブの周囲に配設される円筒状の電極部材と、
前記電極部材の基端部側に固定され、前記スイッチの接続配線に接続される配線接続部と、
前記電極部材の先端部に固定され、前記プローブに接続されるリング状の導電性ゴムとを具備することを特徴とする請求項６に記載の超音波処置装置。
【請求項８】
前記スイッチの接続配線は、基板上にプリント配線電極が形成され、
前記プリント配線電極は、配線の長さを調整する屈曲形状部分を有することを特徴とする請求項７に記載の超音波処置装置。
【請求項９】
前記スイッチは、押しボタンを有し、
前記ハンドピースは、手持ち用の把持部の外面に対して前記スイッチの装着部の高さを低くして前記押しボタンの高さを前記把持部の外面の高さ以下の高さに設定したことを特徴とする請求項８に記載の超音波処置装置。
【請求項１０】
前記シースユニットは、前記スイッチの接続ケーブルが差し込まれて前記接続ケーブルの抜けを防止する略Ｕ字状のケーブル抜け止め部材を有することを特徴とする請求項８に記載の超音波処置装置。
【請求項１１】
前記ハンドピースは、前記ハンドピースの本体に着脱可能に取付けられるスイッチユニットを有し、
前記スイッチユニットは、前記スイッチを保持するスイッチ保持体と、
前記スイッチ保持体を前記ハンドピースに前記シースの軸回り方向に回動可能に取付ける取付けアームと、
前記スイッチ保持体における前記ハンドピースとの接触面に固定され、前記スイッチ保持体を前記シースの軸回り方向の任意の位置に位置決め状態で係止する回り止め部材と
を具備することを特徴とする請求項６に記載の超音波処置装置。
【請求項１２】
前記回り止め部材は、前記スイッチ保持体と前記ハンドピースとの間の摩擦力を高めて回り止めする板状の摩擦部材であることを特徴とする請求項１１に記載の超音波処置装置。
【請求項１３】
前記ハンドピースは、前記超音波振動子を保持する振動子ユニットと、
前記プローブの外周囲を覆うシースと、前記シースの基端部に配置され、前記振動子ユニットの先端部に着脱可能に連結される着脱部とを有するシースユニットとを具備し、
前記振動子ユニットは、前記プローブに高周波出力を伝達する高周波出力伝達部を有し、
前記シースユニットは、前記高周波出力のオン・オフを制御するスイッチを有することを特徴とする請求項１に記載の超音波処置装置。
【請求項１４】
前記ハンドピースは、前記高周波出力伝達部に接続される高周波出力端子部と、
一端が前記スイッチに接続される高周波出力制御用ケーブルと、
一端が前記高周波出力端子部に着脱可能に接続される高周波出力用ケーブルと、
前記高周波出力制御用ケーブルの他端と前記高周波出力用ケーブルの他端が接続される２つの出力端と、１つの入力端とを備えた中継コネクタと、
一端が前記入力端に接続され、他端が接続プラグに接続される１本の接続ケーブルと
を具備することを特徴とする請求項１３に記載の超音波処置装置。
【請求項１５】
前記ハンドピースは、前記スイッチと、前記高周波出力制御用ケーブルと、前記高周波出力用ケーブルと、前記中継コネクタと、前記接続ケーブルと、前記接続プラグとが一体的にユニット化されたケーブルユニットを有することを特徴とする請求項１４に記載の超音波処置装置。
【発明の詳細な説明】
【技術分野】
【０００１】
本発明は、超音波振動によって生体組織を処置するハンドピースを備えた超音波処置装置に関する。
【背景技術】
【０００２】
一般に、超音波振動を利用して生体組織の切開、切除、あるいは凝固等の処置を行う超音波処置装置が知られている。この超音波処置装置には、超音波処置装置の本体にケーブルを介して接続されたハンドピースが設けられている。このハンドピースには、超音波振動を発生させる超音波振動子と、この超音波振動子からの超音波振動を先端処置部に伝達させる細長い振動伝達部材を備えたプローブと、超音波振動子およびプローブの先端処置部以外の外周囲を覆うカバーとが設けられている。さらに、超音波振動子は使用者が把持する把持部内に内蔵されている。
【０００３】
そして、この超音波処置装置の使用時には超音波振動子によって発生した超音波振動を振動伝達部材を介してプローブの先端処置部に伝達させる。この状態で、先端処置部を生体組織に当接させることにより、先端処置部に当接した生体組織の切開、切除、あるいは凝固等の超音波処置を行うようになっている。
【０００４】
また、例えば特許文献１の装置のハンドピースには、プローブおよび超音波振動子の軸心部に吸引路が形成されている。さらに、ハンドピースのカバーには外側シェルと内側シェルとが設けられている。これらの外側シェルと内側シェルとの間には洗浄液を流す送液チャンネルが設けられている。
【０００５】
そして、この装置では、外側シェルと内側シェルとの間の送液チャンネルからプローブの先端側に洗浄液を流すとともに、プローブの先端側の軸心部の吸引口からプローブおよび超音波振動子の軸心部の吸引路に吸引するようになっている。
【０００６】
また、特許文献２には、超音波振動子を覆って把持部を形成する振動子カバーに最内層と最外層との間に中間層を設け、最内層と最外層とを電気絶縁材料によって形成するとともに、最内層および最外層とは吸湿性が異なる材料によって中間層を形成した構成のハンドピースが示されている。
【特許文献１】国際公開第９３／０５７１５号パンフレット
【特許文献２】特開２００２−２５３５６８号公報
【発明の開示】
【発明が解決しようとする課題】
【０００７】
ところで、超音波処置装置の使用時には使用者が把持する把持部内に内蔵されている超音波振動子が連続発振される。このとき、超音波振動子の連続発振によってハンドピースのカバーにおける超音波振動子の固定部が発熱する問題がある。そのため、従来の超音波処置装置では、使用中、把持部内の超音波振動子の固定部の熱が外に漏れ、ハンドピースの把持部に伝達されてハンドピースの把持部が熱くなる可能性がある。さらに、超音波振動子の連続発振中に、超音波振動子の振動がハンドピースの把持部に伝達される可能性も有る。
【０００８】
また、特許文献１の装置のハンドピースのカバーでは外側シェルと内側シェルとの間には洗浄液を流す送液チャンネルが設けられているので、この送液チャンネルの部分で振動子把持部の発熱および振動の伝達を防止することができる。しかしながら、この場合には、プローブおよび超音波振動子の軸心部に吸引用の貫通孔が形成されている。そして、外側シェルと内側シェルとの間の送液チャンネルからプローブの先端側に洗浄液を流すとともに、プローブの先端側の軸心部の吸引口からプローブおよび超音波振動子の軸心部の吸引路に吸引する構成になっている。そのため、この装置では、ハンドピース全体が大型化する問題がある。
【０００９】
また、特許文献２の装置では超音波振動子を覆って把持部を形成する振動子カバーに最内層と最外層との間に中間層を設けている。しかしながら、この中間層は、最内層および最外層とは吸湿性が異なる材料によって形成されているので、使用中、把持部内の超音波振動子の固定部の熱が外に漏れ、ハンドピースの把持部に伝達されてハンドピースの把持部が熱くなることを効果的には防止することができない問題がある。
【００１０】
本発明は上記事情に着目してなされたもので、その目的は、超音波振動子の連続発振によるハンドピースの把持部の発熱および振動の伝達を防止することができ、断熱・防振効果が高いうえ、ハンドピース全体を小型化することができる超音波処置装置を提供することにある。
【課題を解決するための手段】
【００１１】
請求項１の発明は、超音波振動を発生させる超音波振動子と、基端部が前記超音波振動子に連結され、前記超音波振動子からの超音波振動を先端処置部に伝達させるプローブと、前記超音波振動子および前記プローブの前記先端処置部以外の外周囲を覆うカバーとを具備するハンドピースを備えた超音波処置装置において、前記カバーの壁部における前記超音波振動子の周囲に前記超音波振動子の熱および振動が前記カバーの外面側に伝達されることを防止する断熱・防振層を設けたことを特徴とする超音波処置装置である。  
そして、本請求項１の発明では、超音波振動子の連続発振時にはハンドピースのカバーの壁部における超音波振動子の周囲の断熱・防振層によって超音波振動子の固定部の熱および振動を遮断することにより、超音波振動子の固定部の熱および振動がカバーの外面側に伝達されることを防止するようにしたものである。
【００１２】
請求項２の発明は、前記カバーは、内ケーシングと、外ケーシングとを有し、前記断熱・防振層は、前記内ケーシングと、前記外ケーシングとの間に介設されていることを特徴とする請求項１に記載の超音波処置装置である。  
そして、本請求項２の発明では、カバーの内ケーシングと外ケーシングとの間に介設されている断熱・防振層によって超音波振動子の固定部の熱および振動を遮断するようにしたものである。
【００１３】
請求項３の発明は、前記超音波振動子は、前記内ケーシングに固定するための振動子フランジが形成されたホーンを備え、前記断熱・防振層は、前記内ケーシングに固定された振動子フランジの外周の周辺となる位置に配置されていることを特徴とする請求項２に記載の超音波処置装置である。  
そして、本請求項３の発明では、超音波振動子の振動子フランジが固定される内ケーシングの振動子連結部の周囲に配置されている断熱・防振層によって超音波振動子の固定部の熱および振動を遮断することにより、超音波振動子の固定部の熱および振動がカバーの外面側に伝達されることを防止するようにしたものである。
【００１４】
請求項４の発明は、前記断熱・防振層は、前記内ケーシングおよび前記外ケーシングの素材に対して熱伝導率が低い断熱・防振構造体であることを特徴とする請求項３に記載の超音波処置装置である。  
そして、本請求項４の発明では、内ケーシングおよび外ケーシングの素材に対して熱伝導率が低い断熱・防振構造体の断熱・防振層によって超音波振動子の固定部の熱および振動を遮断するようにしたものである。
【００１５】
請求項５の発明は、前記断熱・防振構造体は、前記内ケーシングと前記外ケーシングとの間に気密に密閉された空気層であることを特徴とする請求項４に記載の超音波処置装置である。  
そして、本請求項５の発明では、内ケーシングと外ケーシングとの間の気密に密閉された空気層の断熱・防振層によって超音波振動子の固定部の熱および振動を遮断するようにしたものである。
【００１６】
請求項６の発明は、前記ハンドピースは、前記超音波振動子を保持する振動子ユニットと、前記プローブの外周囲を覆うシースと、前記シースの基端部に配置され、前記振動子ユニットの先端部に着脱可能に連結される着脱部とを有するシースユニットとを具備し、前記シースユニットは、前記プローブに高周波出力を伝達する高周波出力伝達部と、前記高周波出力のオン・オフを制御するスイッチとを具備することを特徴とする請求項１に記載の超音波処置装置である。  
そして、本請求項６の発明では、ハンドピースの振動子ユニット内の超音波振動子からの超音波振動をプローブに伝達させて行なう超音波処置と、シースユニットのスイッチによって高周波出力のオン・オフを制御することにより、高周波出力をプローブに伝達させて行なう高周波処置とを併用可能にしたものである。
【００１７】
請求項７の発明は、前記シースユニットは、前記プローブの周囲に配設される円筒状の電極部材と、前記電極部材の基端部側に固定され、前記スイッチの接続配線に接続される配線接続部と、前記電極部材の先端部に固定され、前記プローブに接続されるリング状の導電性ゴムとを具備することを特徴とする請求項６に記載の超音波処置装置である。  
そして、本請求項７の発明では、シースユニットのスイッチによる高周波出力のオン操作時には、高周波出力をシースユニットのスイッチの配線接続部、プローブの周囲の円筒状の電極部材を経て電極部材の先端部のリング状の導電性ゴムを介してプローブに導電させることにより、高周波出力をプローブに伝達させて高周波処置を行なうようにしたものである。
【００１８】
請求項８の発明は、前記スイッチの接続配線は、基板上にプリント配線電極が形成され、前記プリント配線電極は、配線の長さを調整する屈曲形状部分を有することを特徴とする請求項７に記載の超音波処置装置である。  
そして、本請求項８の発明では、基板上のプリント配線電極の屈曲形状部分によって配線の長さを調整することにより、高周波出力の短絡を防止するようにしたものである。
【００１９】
請求項９の発明は、前記スイッチは、押しボタンを有し、前記ハンドピースは、手持ち用の把持部の外面に対して前記スイッチの装着部の高さを低くして前記押しボタンの高さを前記把持部の外面の高さ以下の高さに設定したことを特徴とする請求項８に記載の超音波処置装置である。  
そして、本請求項９の発明では、ハンドピースの手持ち用の把持部の外面に対してスイッチの装着部の高さを低くして押しボタンの高さを把持部の外面の高さ以下の高さに設定することにより、把持部を握る使用者の手指の収まりがよく、目視することなく手指の感触でスイッチの押しボタンを探り当てられるようにしたものである。
【００２０】
請求項１０の発明は、前記シースユニットは、前記スイッチの接続ケーブルが差し込まれて前記接続ケーブルの抜けを防止する略Ｕ字状のケーブル抜け止め部材を有することを特徴とする請求項８に記載の超音波処置装置である。  
そして、本請求項１０の発明では、シースユニットの略Ｕ字状のケーブル抜け止め部材にスイッチの接続ケーブルが差し込まれて接続ケーブルの抜けを防止することにより、強度の向上および組立作業性の向上を図るようにしたものである。
【００２１】
請求項１１の発明は、前記ハンドピースは、前記ハンドピースの本体に着脱可能に取付けられるスイッチユニットを有し、前記スイッチユニットは、前記スイッチを保持するスイッチ保持体と、前記スイッチ保持体を前記ハンドピースに前記シースの軸回り方向に回動可能に取付ける取付けアームと、前記スイッチ保持体における前記ハンドピースとの接触面に固定され、前記スイッチ保持体を前記シースの軸回り方向の任意の位置に位置決め状態で係止する回り止め部材とを具備することを特徴とする請求項６に記載の超音波処置装置である。  
そして、本請求項１１の発明では、ハンドピースの本体にスイッチユニットを取付ける場合には、スイッチ保持体の取付けアームをハンドピースにシースの軸回り方向に回動可能に取付けるとともに、スイッチユニットのスイッチ保持体の回り止め部材をハンドピースの接触面に摩擦接触状態で係止させることにより、スイッチ保持体をシースの軸回り方向の任意の位置に位置決め状態でワンタッチで着脱でき、かつ適正な回転付勢力を実現するようにしたものである。
【００２２】
請求項１２の発明は、前記回り止め部材は、前記スイッチ保持体と前記ハンドピースとの間の摩擦力を高めて回り止めする板状の摩擦部材であることを特徴とする請求項１１に記載の超音波処置装置である。  
そして、本請求項１２の発明では、板状の摩擦部材の回り止め部材によってスイッチ保持体とハンドピースとの間の摩擦力を高めてスイッチユニットの回り止めをするようにしたものである。
【００２３】
請求項１３の発明は、前記ハンドピースは、前記超音波振動子を保持する振動子ユニットと、前記プローブの外周囲を覆うシースと、前記シースの基端部に配置され、前記振動子ユニットの先端部に着脱可能に連結される着脱部とを有するシースユニットとを具備し、前記振動子ユニットは、前記プローブに高周波出力を伝達する高周波出力伝達部を有し、前記シースユニットは、前記高周波出力のオン・オフを制御するスイッチを有することを特徴とする請求項１に記載の超音波処置装置である。  
そして、本請求項１３の発明では、ハンドピースの振動子ユニット内の超音波振動子からの超音波振動をプローブに伝達させて行なう超音波処置と、シースユニットのスイッチによって高周波出力のオン・オフを制御することにより、高周波出力をプローブに伝達させて行なう高周波処置とを併用可能にし、シースユニットのスイッチによる高周波出力のオン操作時には、振動子ユニットの高周波出力伝達部からプローブに高周波出力を伝達するようにしたものである。
【００２４】
請求項１４の発明は、前記ハンドピースは、前記高周波出力伝達部に接続される高周波出力端子部と、一端が前記スイッチに接続される高周波出力制御用ケーブルと、一端が前記高周波出力端子部に着脱可能に接続される高周波出力用ケーブルと、前記高周波出力制御用ケーブルの他端と前記高周波出力用ケーブルの他端が接続される２つの出力端と、１つの入力端とを備えた中継コネクタと、一端が前記入力端に接続され、他端が接続プラグに接続される１本の接続ケーブルとを具備することを特徴とする請求項１３に記載の超音波処置装置である。  
そして、本請求項１４の発明では、接続プラグに入力された高周波出力を１本の接続ケーブルを経て中継コネクタの１つの入力端に導き、中継コネクタの２つの出力端の一方から高周波出力制御用ケーブルを経てスイッチに導くとともに、他方の出力端から高周波出力用ケーブルを経てハンドピースの高周波出力端子部に導き、さらに高周波出力伝達部に導くようにしたものである。
【００２５】
請求項１５の発明は、前記ハンドピースは、前記スイッチと、前記高周波出力制御用ケーブルと、前記高周波出力用ケーブルと、前記中継コネクタと、前記接続ケーブルと、前記接続プラグとが一体的にユニット化されたケーブルユニットを有することを特徴とする請求項１４に記載の超音波処置装置である。  
そして、本請求項１５の発明では、スイッチと、高周波出力制御用ケーブルと、高周波出力用ケーブルと、中継コネクタと、接続ケーブルと、接続プラグとが一体的にユニット化されたケーブルユニットによって高周波出力をハンドピースに導電するようにしたものである。
【発明の効果】
【００２６】
本発明によれば、超音波振動子の連続発振によるハンドピースの把持部の発熱および振動の伝達を防止することができ、断熱・防振効果が高いうえ、ハンドピース全体を小型化することができる。
【発明を実施するための最良の形態】
【００２７】
以下、本発明の第１の実施の形態を図１（Ａ），（Ｂ）乃至図４を参照して説明する。図１（Ａ）は本実施の形態の超音波処置装置のハンドピース１を示す。このハンドピース１には振動子ユニット２と、この振動子ユニット２の先端部に着脱可能に連結されるシースユニット３とが設けられている。図１（Ｂ）は振動子ユニット２からシースユニット３を取外した状態を示す。
【００２８】
また、図２（Ａ）〜（Ｆ）は振動子ユニット２の内部構造を示す。図２（Ａ）に示すように振動子ユニット２には円筒状の振動子カバー４内に超音波振動を発生するボルトランジュバン型の超音波振動子５が内蔵されている。超音波振動子５の先端部には超音波振動の振幅拡大を行なうホーン６の基端部が連結される。このホーン６の先端部にはプローブ取付け用のねじ穴部６ａが形成されている。
【００２９】
このホーン６のねじ穴部６ａには図１（Ａ）に示すように細長い略棒状のプローブ７の基端部がねじ込み固定されている。プローブ７の基端部にはホーン６のねじ穴部６ａに連結される図示しない取付けねじが形成されている。そして、この取付けねじが振動子ユニット２におけるホーン６のねじ穴部６ａにねじ込み固定されることにより、プローブ７と、振動子ユニット２のホーン６との間が着脱可能に連結されている。これにより、超音波振動子５からの超音波振動がホーン６によって振幅拡大された状態でプローブ７に伝達され、このプローブ７の先端処置部７ａに伝達されるようになっている。
【００３０】
また、シースユニット３にはプローブ７の先端処置部７ａ以外の外周囲を覆うカバーであるシース８と、このシース８の基端部に連結された大径な把持部９とが設けられている。さらに、把持部９の後端部に振動子接続部１０が形成されている。
【００３１】
図１（Ｂ）に示すように振動子ユニット２の先端部にはシースユニット３との着脱用のユニット連結部１１が取付けられている。このユニット連結部１１にはシースユニット３の後端の振動子接続部１０が着脱可能に連結されるようになっている。
【００３２】
また、振動子カバー４の後端部にはケーブル接続部１２が設けられている。このケーブル接続部１２には図示しない超音波処置装置の本体（電源）より電流を供給するためのハンドピースケーブル１３の一端部が接続されている。このハンドピースケーブル１３の他端部には図示しない超音波処置装置の本体へ接続するためのハンドピースプラグ１４が接続されている。超音波処置装置の本体には超音波出力のＯＮ／ＯＦＦ制御を行うための図示しないフットスイッチが接続されている。
【００３３】
また、図３は振動子カバー４と超音波振動子５との連結部を示す。ここで、振動子カバー４は、内ケーシング１５と、外ケーシング１６とを有する。さらに、内ケーシング１５の先端部内周面にはリング状の超音波振動子取り付け部材（振動子連結部）１７が固定されている。
【００３４】
超音波振動子５には、プローブ７側のホーン６の基端部との連結端部に他の部分よりも大径な振動子フランジ１８が配置されている。この振動子フランジ１８は、内ケーシング１５の超音波振動子取り付け部材１７に固定されて超音波振動子５が振動子カバー４に連結されている。
【００３５】
また、内ケーシング１５と、外ケーシング１６との間には、超音波振動子５の熱および振動が振動子カバー４の外面側に伝達されることを防止する断熱・防振層１９が介設されている。この断熱・防振層１９は、特に振動子カバー４の壁部における超音波振動子５の周囲に配置されている。ここで、断熱・防振層１９は、最も発熱しやすい振動子フランジ１８の位置を考慮して設置されている。
【００３６】
断熱・防振層１９は、内ケーシング１５および外ケーシング１６の素材に対して熱伝導率が低い断熱・防振構造体である。本実施の形態では、断熱・防振層１９は、内ケーシング１５と外ケーシング１６との間に気密に密閉された空気層を有する。ここで、内ケーシング１５の外周面には周方向全体に亙り陥没させたリング状の凹陥部１５ａが形成されている。さらに、内ケーシング１５の外周面は、凹陥部１５ａよりも前側部分１５ｂおよび後ろ側部分１５ｃが外ケーシング１６の内周面にそれぞれ気密に密着されている。これにより、図４に示すように内ケーシング１５の凹陥部１５ａの部分にリング状の空気層を有する断熱・防振層１９が形成されている。
【００３７】
なお、断熱・防振層１９は、必ずしも空気層に限定されるものではなく、例えば、硬質ウレタンフォームや、「ヒートバスターＴＫ２」（登録商標）などの断熱材であってもよい。
【００３８】
次に、上記構成の作用について説明する。本実施の形態の超音波処置装置の使用時には超音波処置装置の電源スイッチがオン操作され、続いてフットスイッチがオン操作されてハンドピース１内の超音波振動子５が駆動される。このとき、超音波振動子５から発生する超音波振動は、ホーン６によって振幅拡大された状態でプローブ７に伝達され、このプローブ７の先端処置部７ａに伝達される。この状態で、プローブ７の先端処置部７ａを処置対象部位（被処置部）の生体組織に当接させることにより、超音波を利用して生体組織の切開、切除、あるいは凝固等の超音波処置が行われる。
【００３９】
また、超音波振動子５の駆動時には、超音波振動子５が連続発振することにより、超音波振動子５の振動子フランジ１８と内ケーシング１５の超音波振動子取り付け部材（振動子連結部）１７との固定部で発熱する。この振動子フランジ１８の固定部からの熱は、超音波振動子５の周囲の断熱・防振層１９によって遮断（断熱）される。これにより、超音波振動子５の固定部の熱が振動子カバー４の外面側に伝達されることが防止される。
【００４０】
さらに、この超音波振動子５の駆動時には超音波振動子５が連続発振することにより、超音波振動子５の振動子フランジ１８の固定部から内ケーシング１５に伝達される振動も超音波振動子５の周囲の断熱・防振層１９によって遮断される。これにより、超音波振動子５からの振動が振動子カバー４の外面側に伝達されることも防止される。
【００４１】
そこで、上記構成のものにあっては次の効果を奏する。すなわち、本実施の形態の超音波処置装置では、ハンドピース１の振動子カバー４の内ケーシング１５と外ケーシング１６との間に断熱・防振層１９を設けている。そのため、超音波振動子５の連続発振時にはハンドピース１の振動子カバー４の壁部における超音波振動子５の周囲の断熱・防振層１９によって超音波振動子５の固定部の熱および振動を遮断することにより、超音波振動子５の固定部の熱および振動が振動子カバー４の外面側に伝達されることを防止することができる。
【００４２】
さらに、断熱・防振層１９は、最も発熱しやすい振動子フランジ１８の位置を考慮して振動子カバー４の壁部における超音波振動子５の周囲に配置されているので、ハンドピース１の内部に形成される断熱・防振層１９の大きさを必要最小限にすることができる。そのため、超音波振動子５の連続発振によるハンドピース１の把持部の発熱および振動の伝達を防止することができ、断熱・防振効果が高いうえ、ハンドピース１全体を小型化することができる。
【００４３】
また、本実施の形態では、断熱・防振層１９は、内ケーシング１５および外ケーシング１６の素材に対して熱伝導率が低い断熱・防振構造体として内ケーシング１５と外ケーシング１６との間に気密に密閉された空気層を有する。そのため、超音波振動子５の連続発振時の断熱・防振だけでなく、ハンドピース１をオートクレーブ滅菌をした時に、外ケーシング１６の樹脂部分を浸透して内部に侵入してくる水蒸気に対し、断熱・防振層１９によってワンクッション置くことができる。そのため、オートクレーブ滅菌時の滅菌耐性向上も図ることができる。
【００４４】
また、図５（Ａ）〜（Ｃ）乃至図８は本発明の第２の実施の形態を示すものである。本実施の形態は第１の実施の形態（図１（Ａ），（Ｂ）乃至図４参照）の超音波処置装置のハンドピース１のシースユニット３の構成を次の通り変更したものである。なお、振動子ユニット２は第１の実施の形態と同一構成になっており、第１の実施の形態の超音波処置装置と同一部分には同一の符号を付してここではその説明を省略する。
【００４５】
すなわち、本実施の形態のシースユニット３には図５（Ａ）〜（Ｃ）に示すようにハンドスイッチ付きシース２１が設けられている。このハンドスイッチ付きシース２１にはプローブ７に高周波出力を伝達する高周波出力伝達部２２と、高周波出力のオン・オフを制御するスイッチ２３とが設けられている。
【００４６】
ハンドスイッチ付きシース２１には、手持ち用の把持部９の外周面の一側部にスイッチ装着部２４が設けられている。このスイッチ装着部２４には先端部側にスイッチ２３が配設されている。さらに、スイッチ装着部２４の後端部にはケーブル接続部２５が設けられている。
【００４７】
図６（Ａ）に示すようにハンドスイッチ付きシース２１のケーブル接続部２５には高周波焼灼装置用の接続ケーブル２６の一端部が接続されている。この接続ケーブル２６の他端部には高周波焼灼装置用の接続プラグ２７が接続されている。
【００４８】
また、スイッチ２３は、押しボタン２８と、この押しボタン２８を突没可能に支持するベース部材２９とを有する。この押しボタン２８は板ばねなどの図示しない付勢手段によってベース部材２９から外部側に突出される方向に常時付勢されている。そして、スイッチ２３は、押しボタン２８が外部側に突出された突出位置では図８に示すようにスイッチ接点２３ａが開位置で保持される常開接点によって形成されている。また、押しボタン２８が押し込み操作されることにより、スイッチ接点２３ａが閉じるようになっている。
【００４９】
さらに、本実施の形態のハンドピース１には、図７（Ａ）に示すように手持ち用の把持部９の外面に対してスイッチ装着部２４の高さを低くした段差部３０が形成されている。ここで、スイッチ装着部２４の押しボタン２８の高さは、把持部９の外面の高さ以下の高さに設定されている。これにより、把持部９を握る使用者の手指の収まりがよく、目視することなく手指の感触でスイッチ２３の押しボタン２８を探り当てられるようにしている。
【００５０】
また、ハンドスイッチ付きシース２１の高周波出力伝達部２２には、プローブ７の周囲に配設される円筒状の電極部材３１と、この電極部材３１の基端部側に固定され、スイッチ２３の接続配線３２に接続される配線接続部３３と、電極部材３１の先端部に固定され、プローブ７に接続されるリング状の導電性ゴム３４とが設けられている。ここで、スイッチ２３の接続配線３２は、例えばガラスエポキシ基板上にプリント配線電極３５が形成されている。さらに、プリント配線電極３５は、図６（Ｂ）に示すように配線の長さを調整する屈曲形状部分を有する。
【００５１】
また、配線接続部３３は、例えば金属製の固定ねじによって形成されている。そして、この配線接続部３３の固定ねじによって配線接続部３３と、電極部材３１との間が電気的に接続されている。さらに、シースユニット３にプローブ７が挿入され、正規の組み付け位置に組み付けられた場合には、プローブ７に電極部材３１の先端部の導電性ゴム３４がプローブ７の外周面に圧接され、導電性ゴム３４とプローブ７との間が電気的に接続されている。
【００５２】
これにより、本実施の形態のハンドピース１では、スイッチ２３の押しボタン２８の押し込み操作にともない高周波出力がオン／オフ制御されるようになっている。このとき、スイッチ２３の押しボタン２８は超音波振動子５の発振状態とは無関係に動作する。そして、スイッチ２３の押しボタン２８が非押圧状態で保持されている場合には高周波出力がオフ状態で保持され、押しボタン２８が押し込み操作されることにより、高周波出力がオン制御されるようになっている。
【００５３】
次に、上記構成の作用について説明する。本実施の形態の超音波処置装置の使用時には第１の実施の形態と同様に、超音波処置装置の電源スイッチがオン操作され、続いてフットスイッチがオン操作されてハンドピース１内の超音波振動子５が駆動される。この状態で、第１の実施の形態と同様の作用により、超音波振動子５から発生する超音波振動は、ホーン６によって振幅拡大された状態でプローブ７に伝達され、このプローブ７の先端処置部７ａに伝達される。これにより、プローブ７の先端処置部７ａを処置対象部位（被処置部）の生体組織に当接させることにより、超音波を利用して生体組織の切開、切除、あるいは凝固等の超音波処置が行われる。
【００５４】
さらに、超音波振動子５の駆動時には第１の実施の形態と同様の作用により、超音波振動子５が連続発振する際に、超音波振動子５の振動子フランジ１８の固定部から内ケーシング１５に伝達される振動も超音波振動子５の周囲の断熱・防振層１９によって遮断される。これにより、超音波振動子５からの振動が振動子カバー４の外面側に伝達されることも防止される。
【００５５】
また、本実施の形態のハンドピース１では、スイッチ２３の押しボタン２８の押し込み操作にともない高周波出力が独立にオン／オフ制御される。このとき、スイッチ２３の押しボタン２８は超音波振動子５の発振状態とは無関係に動作する。そして、スイッチ２３の押しボタン２８が非押圧状態で保持されている場合には高周波出力がオフ状態で保持され、押しボタン２８が押し込み操作されることにより、高周波出力がオン制御される。
【００５６】
そこで、上記構成のものにあっては次の効果を奏する。すなわち、本実施の形態のハンドピース１では、第１の実施の形態と同様の構成の振動子ユニット２を使用しているので、第１の実施の形態と同様に超音波振動子５の連続発振時にはハンドピース１の振動子カバー４の壁部における超音波振動子５の周囲の断熱・防振層１９によって超音波振動子５の固定部の熱および振動を遮断することにより、超音波振動子５の固定部の熱および振動が振動子カバー４の外面側に伝達されることを防止することができる。
【００５７】
また、本実施の形態のハンドピース１では、シースユニット３にハンドスイッチ付きシース２１を設け、このハンドスイッチ付きシース２１にプローブ７に高周波出力を伝達する高周波出力伝達部２２と、高周波出力のオン・オフを制御するスイッチ２３とを設けている。そのため、スイッチ２３の押しボタン２８の押し込み操作にともない高周波出力が独立にオン／オフ制御される。そして、シースユニット３のスイッチ２３による高周波出力のオン操作時には、高周波出力をシースユニット３のスイッチ２３の配線接続部３３、プローブ７の周囲の円筒状の電極部材３１を経て電極部材３１の先端部のリング状の導電性ゴム３４を介してプローブ７に導電させることにより、高周波出力をプローブ７に伝達させて高周波処置を行なうことができる。これにより、ハンドピース１の振動子ユニット２内の超音波振動子５からの超音波振動をプローブ７に伝達させて行なう超音波処置と、シースユニット３のスイッチ２３によって高周波出力のオン・オフを制御することにより、高周波出力をプローブ７に伝達させて行なう高周波処置とを併用することができる。その結果、１台の小型のハンドピース１で超音波処置と、高周波処置とを併用することにより、超音波処置と、高周波処置とでハンドピース１を使い分ける場合に比べて操作性の向上を図ることができる。
【００５８】
さらに、スイッチ２３の接続配線３２は、基板上にプリント配線電極３５が形成され、プリント配線電極３５の屈曲形状部分によって配線の長さを調整することができる。これにより、高周波出力の短絡を防止することができる。
【００５９】
また、図９（Ａ）〜（Ｄ）乃至図１２は本発明の第３の実施の形態を示すものである。本実施の形態は第１の実施の形態（図１（Ａ），（Ｂ）乃至図４参照）の超音波処置装置のハンドピース１の本体に外付けの超音波出力制御用のスイッチユニット４１を着脱可能に取付けたものである。なお、ハンドピース１の構成は第１の実施の形態と同一構成になっており、第１の実施の形態と同一部分には同一の符号を付してここではその説明を省略する。
【００６０】
すなわち、本実施の形態のハンドピース１には、図９（Ａ）に示すようにシースユニット３の把持部９の後端部に超音波出力制御用のスイッチユニット４１が着脱可能に取付けられている。このスイッチユニット４１には、超音波出力制御用のスイッチ４２が設けられている。
【００６１】
スイッチ４２は、押しボタン４３と、この押しボタン４３を突没可能に支持する略平板状のベース部材（スイッチ保持体）４４とを有する。ベース部材４４には基端部側にケーブル接続部４５が設けられている。このケーブル接続部４５には、超音波出力制御用の接続ケーブル４６の一端部が接続されている。この接続ケーブル４６の他端部には図示しない超音波処置装置の本体に接続される接続プラグが接続されている。
【００６２】
また、ベース部材４４の先端部側には、基端部側のケーブル接続部４５の外面よりも高さが低くした段差部４７が形成されている。この段差部４７にはスイッチ装着部４８が配設されている。このスイッチ装着部４８には、スイッチ４２が装着されている。ここで、スイッチ装着部４８の押しボタン４３の高さは、ケーブル接続部４５の外面の高さ以下の高さに設定されている。これにより、スイッチユニット４１を握る使用者の手指の収まりがよく、目視することなく手指の感触でスイッチ４２の押しボタン４３を探り当てられるようにしている。
【００６３】
また、押しボタン４３は板ばねなどの図示しない付勢手段によってベース部材４４から外部側に突出される方向に常時付勢されている。そして、スイッチ４２は、押しボタン４３が外部側に突出された突出位置では第２の実施の形態（図５（Ａ）〜（Ｃ）乃至図８参照）のスイッチ２３と同様にスイッチ接点２３ａが開位置で保持される常開接点によって形成されている。また、押しボタン４３が押し込み操作されることにより、スイッチ接点２３ａが閉じるようになっている。
【００６４】
これにより、本実施の形態のハンドピース１では、スイッチユニット４１のスイッチ４２の押しボタン４３の押し込み操作にともない超音波出力がオン／オフ制御されるようになっている。そして、スイッチ４２の押しボタン４３が非押圧状態で保持されている場合には超音波出力がオフ状態で保持され、押しボタン４３が押し込み操作されることにより、超音波出力がオン制御されるようになっている。
【００６５】
さらに、本実施の形態のスイッチユニット４１には、図９（Ｂ），（Ｃ）に示すようにベース部材４４の先端部両側にスイッチユニット４１をハンドピース１にシース８の軸回り方向に回動可能に取付ける取付けアーム４９がそれぞれ突設されている。これらの取付けアーム４９はシースユニット３の把持部９の後端部を挟持する状態で設けられている。
【００６６】
また、図９（Ｃ），（Ｄ）に示すようにベース部材４４の下面のハンドピース１との接触面にはゴム板（回り止め部材）５０が貼り付け固定されている。このゴム板５０は、ベース部材４４とハンドピース１との間の摩擦力を高めて回り止めする板状の摩擦部材である。そして、このゴム板５０とハンドピース１との間の摩擦力によってベース部材４４をシース８の軸回り方向の任意の位置に位置決め状態で係止するようになっている。
【００６７】
また、スイッチユニット４１のケーブル接続部４５には図１０に示すように接続ケーブル４６の抜けを防止する略Ｕ字状のケーブル抜け止め部材５１が設けられている。このケーブル抜け止め部材５１には接続ケーブル４６の太さよりも狭い間隔のＵ字状溝５２が形成されている。そして、図１１に示すようにこのケーブル抜け止め部材５１のＵ字状溝５２にスイッチ４２の接続ケーブル４６が差し込まれて接続ケーブル４６の抜けを防止するようになっている。
【００６８】
次に、上記構成の作用について説明する。本実施の形態の超音波処置装置の使用時には超音波処置装置の電源スイッチがオン操作され、続いてスイッチユニット４１のスイッチ４２の押しボタン４３の押し込み操作（オン操作）にともないハンドピース１内の超音波振動子５が駆動される。この状態で、第１の実施の形態と同様の作用により、超音波振動子５から発生する超音波振動は、ホーン６によって振幅拡大された状態でプローブ７に伝達され、このプローブ７の先端処置部７ａに伝達される。これにより、プローブ７の先端処置部７ａを処置対象部位（被処置部）の生体組織に当接させることにより、超音波を利用して生体組織の切開、切除、あるいは凝固等の超音波処置が行われる。
【００６９】
さらに、超音波振動子５の駆動時には第１の実施の形態と同様の作用により、超音波振動子５が連続発振する際に、超音波振動子５の振動子フランジ１８の固定部から内ケーシング１５に伝達される振動も超音波振動子５の周囲の断熱・防振層１９によって遮断される。これにより、超音波振動子５からの振動が振動子カバー４の外面側に伝達されることも防止される。
【００７０】
そこで、上記構成のものにあっては次の効果を奏する。すなわち、本実施の形態のハンドピース１では、第１の実施の形態と同様の構成の振動子ユニット２を使用しているので、第１の実施の形態と同様に超音波振動子５の連続発振時にはハンドピース１の振動子カバー４の壁部における超音波振動子５の周囲の断熱・防振層１９によって超音波振動子５の固定部の熱および振動を遮断することにより、超音波振動子５の固定部の熱および振動が振動子カバー４の外面側に伝達されることを防止することができる。
【００７１】
また、本実施の形態のハンドピース１では、ハンドピース１の本体に外付けの超音波出力制御用のスイッチユニット４１を着脱可能に取付けたので、外付けの超音波出力制御用のスイッチユニット４１を任意の方向にワンタッチで着脱できる。
【００７２】
さらに、ベース部材４４の下面のハンドピース１との接触面にゴム板５０を貼り付け固定したので、適当な回転付勢力を実現できる。
【００７３】
また、スイッチユニット４１のケーブル接続部４５に略Ｕ字状のケーブル抜け止め部材５１を設け、このケーブル抜け止め部材５１のＵ字状溝５２にスイッチ４２の接続ケーブル４６を差し込んで接続ケーブル４６の抜けを防止するようにしている。これにより、スイッチユニット４１のケーブル接続部４５の強度向上および組立性の向上を図ることができる。
【００７４】
また、図７（Ａ）〜（Ｃ）は本発明の第４の実施の形態を示すものである。本実施の形態は第１の実施の形態（図１（Ａ），（Ｂ）乃至図４参照）の超音波処置装置のハンドピース１の構成を次の通り変更したものである。なお、第１の実施の形態の超音波処置装置のハンドピース１と同一部分には同一の符号を付してここではその説明を省略する。
【００７５】
すなわち、本実施の形態のハンドピース１には、図１３（Ａ）に示すように振動子ユニット２の基端部に高周波出力伝達部６１を設けるとともに、シースユニット３に外付けの高周波出力制御用のスイッチユニット６２を着脱可能に取付けたものである。
【００７６】
高周波出力伝達部６１には振動子ユニット２の基端部に後ろ向きに高周波出力端子６３が突設されている。この高周波出力端子６３には高周波出力用の接続ケーブル６４の一端部に固定されたコネクタ６５が接続されている。
【００７７】
外付けの高周波出力制御用のスイッチユニット６２には、高周波出力制御用のスイッチ６６が設けられている。スイッチ６６は、押しボタン６７と、この押しボタン６７を突没可能に支持する略平板状のベース部材（スイッチ保持体）６８とを有する。ベース部材６８には基端部側にケーブル接続部６９が設けられている。このケーブル接続部６９には、高周波出力制御用の接続ケーブル７０の一端部が接続されている。
【００７８】
また、本実施の形態のハンドピース１には、スイッチユニット６２と、高周波出力制御用の接続ケーブル７０と、高周波出力用の接続ケーブル６４と、中継コネクタ７１と、接続ケーブル７２と、接続プラグ７３とが一体的にユニット化されたケーブルユニット７４が設けられている。
【００７９】
ここで、中継コネクタ７１は、高周波出力制御用の接続ケーブル７０の他端と、高周波出力用の接続ケーブル６４の他端が接続される２つの出力端７１ａ，７１ｂと、１つの入力端７１ｃとを備えている。この中継コネクタ７１の入力端７１ｃには１本の接続ケーブル７２の一端が接続されている。この接続ケーブル７２の他端は接続プラグ７３に接続されている。この接続プラグ７３は、図示しない高周波焼灼装置の本体に接続されている。これにより、高周波出力用の接続ケーブル６４と高周波出力制御用の接続ケーブル７０を中継コネクタ７１にて分岐し、根元部分は１本にまとめたケーブルユニット７４が形成されている。
【００８０】
次に、上記構成の作用について説明する。本実施の形態では第１の実施の形態と同様に、超音波処置装置の電源スイッチがオン操作され、続いてフットスイッチがオン操作されてハンドピース１内の超音波振動子５が駆動される。この状態で、第１の実施の形態と同様の作用により、超音波振動子５から発生する超音波振動は、ホーン６によって振幅拡大された状態でプローブ７に伝達され、このプローブ７の先端処置部７ａに伝達される。これにより、プローブ７の先端処置部７ａを処置対象部位（被処置部）の生体組織に当接させることにより、超音波を利用して生体組織の切開、切除、あるいは凝固等の超音波処置が行われる。
【００８１】
さらに、超音波振動子５の駆動時には第１の実施の形態と同様の作用により、超音波振動子５が連続発振する際に、超音波振動子５の振動子フランジ１８の固定部から内ケーシング１５に伝達される振動も超音波振動子５の周囲の断熱・防振層１９によって遮断される。これにより、超音波振動子５からの振動が振動子カバー４の外面側に伝達されることも防止される。
【００８２】
また、本実施の形態のハンドピース１では、外付けの高周波出力制御用のスイッチユニット６２のスイッチ６６の押しボタン６７の押し込み操作にともない高周波出力が独立にオン／オフ制御される。このとき、スイッチ６６の押しボタン６７は超音波振動子５の発振状態とは無関係に動作する。そして、スイッチ６６の押しボタン６７が非押圧状態で保持されている場合には高周波出力がオフ状態で保持され、押しボタン６７が押し込み操作されることにより、高周波出力がオン制御される。
【００８３】
そこで、上記構成のものにあっては次の効果を奏する。すなわち、本実施の形態のハンドピース１では、第１の実施の形態と同様の構成の振動子ユニット２を使用しているので、第１の実施の形態と同様に超音波振動子５の連続発振時にはハンドピース１の振動子カバー４の壁部における超音波振動子５の周囲の断熱・防振層１９によって超音波振動子５の固定部の熱および振動を遮断することにより、超音波振動子５の固定部の熱および振動が振動子カバー４の外面側に伝達されることを防止することができる。
【００８４】
また、本実施の形態のハンドピース１では、振動子ユニット２の基端部に高周波出力伝達部６１を設けるとともに、シースユニット３に外付けの高周波出力制御用のスイッチユニット６２を着脱可能に取付けている。そのため、ハンドピース１の振動子ユニット２内の超音波振動子５からの超音波振動をプローブ７に伝達させて行なう超音波処置と、外付けの高周波出力制御用のスイッチユニット６２のスイッチ６６によって高周波出力のオン・オフを制御することにより、高周波出力をプローブ７に伝達させて行なう高周波処置とを併用することができる。その結果、１台の小型のハンドピース１で超音波処置と、高周波処置とを併用することにより、超音波処置と、高周波処置とでハンドピース１を使い分ける場合に比べて操作性の向上を図ることができる。
【００８５】
さらに、本実施の形態では、スイッチユニット６２と、高周波出力制御用の接続ケーブル７０と、高周波出力用の接続ケーブル６４と、中継コネクタ７１と、接続ケーブル７２と、接続プラグ７３とが一体的にユニット化されたケーブルユニット７４を設けたので、各ケーブルの接続・取り回しの簡便化を図ることができる。
【００８６】
さらに、本発明は上記実施の形態に限定されるものではなく、本発明の要旨を逸脱しない範囲で種々変形実施できることは勿論である。  
次に、本出願の他の特徴的な技術事項を下記の通り付記する。  
記  
（付記項１）  内ケーシングと外ケーシングの間に断熱・防振層を設けたことを特徴とする超音波処置装置。
【００８７】
（付記項２）  断熱・防振層は、（最も発熱しやすい）振動子フランジ位置を考慮して設置することを特徴とする付記項１に記載の超音波処置装置。
【００８８】
（付記項３）  断熱・防振層は、空気など内外ケーシングの素材に対して熱伝達率が低いものを使用することを特徴とする付記項１に記載の超音波処置装置。
【００８９】
（付記項１〜３の目的）  振動子連続発振による振動子把持部の発熱防止。
【００９０】
（付記項１〜３の構成）  把持部を２層構造とし、その層の間に断熱を目的とした空気断熱層を設けた。
【００９１】
（付記項１〜３の効果）  振動子連続発振による振動子把持部の発熱を防止する。断熱・防振だけでなく、オートクレーブ滅菌をした時、外シース樹脂部分を浸透して内部に侵入してくる水蒸気に対してワンクッション置かれることにもなり滅菌耐性向上も期待できる。
【００９２】
（付記項４）  ハンドスイッチ付シース内に設けた導電性ゴムを介して、スイッチにて高周波出力ＯＮ／ＯＦＦを制御することを特徴とする付記項１に記載の超音波処置装置。
【００９３】
（付記項４の効果）  ハンドスイッチによる高周波処置併用を可能とする。操作性の向上が図れる。
【００９４】
（付記項５）  ハンドスイッチはボタン部が根元部に対して大きく凹んでいることを特徴とする付記項４に記載の超音波処置装置。
【００９５】
（付記項５の効果）  指のおさまりがよく、手感でスイッチを探りあてられる。
【００９６】
（付記項６）  ハンドスイッチ内部のケーブル抜け止め部材は、略コの字型の形状をしていることを特徴とする付記項４に記載の超音波処置装置。
【００９７】
（付記項６の効果）  強度向上、組立性の向上が図れる。
【００９８】
（付記項７）  ハンドスイッチと超音波処置装置の接する面に回転付勢用ゴム部材を貼り付けたことを特徴とする付記項４に記載の超音波処置装置。
【００９９】
（付記項７の効果）  任意の方向にワンタッチ着脱でき、かつ適当な回転付勢力を実現する。
【０１００】
（付記項８）  高周波出力用ケーブルと高周波出力制御用ケーブルを中継コネクタにて分岐し、根元部分は１本にまとめたハンドスイッチを設けたことを特徴とする付記項４に記載の超音波処置装置。
【０１０１】
（付記項８の効果）  接続・取り回しの簡便化が図れる。
【産業上の利用可能性】
【０１０２】
本発明は、超音波振動によって生体組織を処置するハンドピースを備えた超音波処置装置を使用、製造する技術分野で有効である。
【図面の簡単な説明】
【０１０３】
【図１】本発明の第１の実施の形態の超音波処置装置を示すもので、（Ａ）はハンドピース全体の側面図、（Ｂ）は振動子ユニットを示す側面図。
【図２】第１の実施の形態の超音波処置装置のハンドピースの内部構成を示すもので、（Ａ）は振動子ユニットの縦断面図、（Ｂ）は（Ａ）のＩＩＢ−ＩＩＢ線断面図、（Ｃ）は（Ａ）のＩＩＣ−ＩＩＣ線断面図、（Ｄ）は（Ａ）のＩＩＤ−ＩＩＤ線断面図、（Ｅ）は（Ａ）のＩＩＥ−ＩＩＥ線断面図、（Ｆ）は（Ａ）のＩＩＦ−ＩＩＦ線断面図。
【図３】第１の実施の形態の超音波処置装置のハンドピースにおける振動子ユニットの要部構成を示す縦断面図。
【図４】図３のＩＶ−ＩＶ線断面図。
【図５】本発明の第２の実施の形態の超音波処置装置のハンドピースを示すもので、（Ａ）は平面図、（Ｂ）は側面図、（Ｃ）は正面図。
【図６】（Ａ）は第２の実施の形態の超音波処置装置のハンドピースのシースユニットの内部構成を示す縦断面図、（Ｂ）はシースユニットのスイッチ取付け部を示す平面図。
【図７】（Ａ）は第２の実施の形態の超音波処置装置のハンドピースの正面図、（Ｂ）はシースユニットの背面図。
【図８】第２の実施の形態の超音波処置装置のハンドピースの電気回路を示す概略構成図。
【図９】（Ａ）は本発明の第３の実施の形態の超音波処置装置のハンドピースを示す側面図、（Ｂ）は超音波出力制御用のスイッチユニットの正面図、（Ｃ）は（Ｂ）のＩＸＣ−ＩＸＣ線断面図、（Ｄ）はスイッチユニットの背面図。
【図１０】第３の実施の形態の超音波処置装置のハンドピースに取付けた超音波出力制御用のスイッチユニットの半断面図。
【図１１】第３の実施の形態の超音波処置装置のハンドピースのスイッチユニットにおけるケーブル抜け止め部材へのケーブルの取付け状態を示す要部の斜視図。
【図１２】第３の実施の形態の超音波処置装置のハンドピースのスイッチユニットにおけるケーブル抜け止め部材へのケーブルの取付け状態を示す要部の縦断面図。
【図１３】本発明の第４の実施の形態の超音波処置装置のハンドピースを示すもので、（Ａ）は側面図、（Ｂ）はケーブルユニットの要部構成を示す平面図。
【図１４】第４の実施の形態の超音波処置装置のハンドピースの電気回路を示す概略構成図。
【符号の説明】
【０１０４】
１…ハンドピース、２…振動子ユニット、４…振動子カバー、５…超音波振動子、７…プローブ、７ａ…先端処置部、１０…振動子接続部、１７…超音波振動子取り付け部材（振動子連結部）、１８…振動子フランジ、１９…断熱・防振層。
【図１】
2005118357.tif 000003
【図２】
2005118357.tif 000004
【図３】
2005118357.tif 000005
【図４】
2005118357.tif 000006
【図５】
2005118357.tif 000007
【図６】
2005118357.tif 000008
【図７】
2005118357.tif 000009
【図８】
2005118357.tif 000010
【図９】
2005118357.tif 000011
【図１０】
2005118357.tif 000012
【図１１】
2005118357.tif 000013
【図１２】
2005118357.tif 000014
【図１３】
2005118357.tif 000015
【図１４】
2005118357.tif 000016